(57)【要約】  本開示は、ビデオ画像を制御するための方法及び装置、並びに端末に関する。ビデオ画像を制御するための方法は、スマート撮影装置により撮影された第１ビデオ画像を表示するときに、所定の回転指示が受信されたか否かを検出することと、前記所定の回転指示が検出された場合に、前記スマート撮影装置に前記所定の回転指示を送信することと、スマート撮影装置が所定の回転指示に従って回転した後に、スマート撮影装置によって撮影された第２ビデオ画像を表示することとを含む。本開示では、スマート撮影装置は、回転指示に従って回転することができる。スマート撮影装置は、回転後に他の範囲内のビデオ画像を撮影することができるので、ビデオ画像がカバーする範囲が拡大され、ユーザ体験が向上する。
2017536024.tif 000002
【特許請求の範囲】
【請求項１】
スマート撮影装置に関連付けられたスマート端末に適用される、ビデオ画像を制御する方法であって、
前記スマート撮影装置により撮影された第１ビデオ画像を表示するときに、所定の回転指示が受信されたか否かを検出し、
前記所定の回転指示が検出された場合に、前記スマート撮影装置に前記所定の回転指示を送信し、
前記スマート撮影装置が所定の回転指示に従って回転した後に、前記スマート撮影装置によって撮影された第２ビデオ画像を表示する
ことを含む方法。
【請求項２】
前記スマート撮影装置により撮影された第１ビデオ画像を表示するときに、所定の回転指示が受信されたか否かを検出することは、
前記第１ビデオ画像を表示するユーザインタフェースの第１の所定位置に回転選択肢を出力することと、
前記回転選択肢を介して所定の第１タッチイベントが受信された場合に、前記所定の回転指示が受信されたと判定することと
を含む、請求項１記載の方法。
【請求項３】
前記第１ビデオ画像を表示するユーザインタフェースの第１の所定位置に回転選択肢を出力することは、
所定の第２タッチイベントが前記ユーザインタフェースの第２の所定位置で受信されたか否かを検出することと、
前記所定の第２タッチイベントが受信された場合に、前記ユーザインタフェースの前記第１の所定位置に前記回転選択肢を出力することと
を含む、請求項２記載の方法。
【請求項４】
前記回転選択肢を出力した後、所定の第３タッチイベントが前記ユーザインタフェースの第３の所定位置で受信されたか否かを検出し、
前記所定の第３タッチイベントが受信された場合、前記回転選択肢を隠す
ことを更に含む、請求項３に記載の方法。
【請求項５】
前記所定の回転指示が受信されたと判定することは、
前記所定の第１タッチイベントがシングルクリックイベントである場合、受信した前記所定の回転指示が、前記スマート撮影装置を所定の方向に所定の角度だけ回転させる回転指示であると判定することと、
前記所定の第１タッチイベントが長押しイベントである場合に、受信した前記所定の回転指示が、前記所定の方向に連続的に前記スマート撮影装置を回転させるための回転指示であると判定することとを含む、請求項２に記載の方法。
【請求項６】
スマート撮影装置に適用される、ビデオ画像を制御するための方法であって、前記スマート撮影装置は、クレードルヘッドとカメラとを備え、
前記方法は、
スマート端末から送信された回転指示を受信し、
前記回転指示に従って前記クレードルヘッドを制御してカメラを回転駆動させ、回転後にビデオ画像を撮影して前記スマート端末に返送する
ことを特徴とする方法。
【請求項７】
前記回転指示に従って前記クレードルヘッドを制御して前記カメラを回転駆動させることは、
前記クレードルヘッドを制御して前記カメラを所定の方向に所定の角度だけ回転駆動させるか、又は
前記クレードルヘッドを制御して前記カメラを所定の方向に連続的に回転駆動させること
を含む、請求項６記載の方法。
【請求項８】
スマート撮影装置に関連付けられたスマート端末に適用される、ビデオ画像を制御するための装置であって、
前記スマート撮影装置により撮影された第１ビデオ画像を表示するときに、所定の回転指示が受信されたか否かを検出するよう構成される検出ユニットと、
前記所定の回転指示が検出された場合に、前記スマート撮影装置に前記所定の回転指示を送信するよう構成される送信ユニットと、
前記スマート撮影装置が前記所定の回転指示に従って回転した後に、前記スマート撮影装置によって撮影された第２ビデオ画像を表示するよう構成される表示ユニットと
を備える装置。
【請求項９】
前記検出ユニットは、
前記第１ビデオ画像を表示するユーザインタフェースの第１の所定位置に回転選択肢を出力するように構成される出力サブユニットと、
前記回転選択肢を介して所定の第１タッチイベントが受信された場合に、前記所定の回転指示が受信されたと判定するように構成される判定サブユニットと、
を備えた、請求項８記載の装置。
【請求項１０】
前記出力サブユニットは、
所定の第２タッチイベントが前記ユーザインタフェースの第２の所定位置で受信されたか否かを検出するように構成される第１検出モジュールと、
前記所定の第２タッチイベントが受信された場合に、前記ユーザインタフェースの前記第１の所定位置に前記回転選択肢を出力するように構成される出力モジュールと
を備える、請求項９記載の装置。
【請求項１１】
前記出力サブユニットは、
所定の第３タッチイベントが前記ユーザインタフェースの第３の所定位置で受信されたか否かを検出するように構成される第２検出モジュールと、
前記所定の第３タッチイベントが受信された場合に、前記回転選択肢を隠すように構成される隠蔽モジュールと
を備える、請求項１０記載の装置。
【請求項１２】
前記判定サブユニットは、前記所定の第１タッチイベントがシングルクリックイベントである場合に、受信した前記所定の回転指示が、所定の方向に所定の角度だけ前記スマート撮影装置を回転させる回転指示であると判定するよう構成される第１判定モジュールと、
前記所定の第１タッチイベントが長押しイベントである場合に、受信した前記所定の回転指示が、前記所定の方向に連続的に前記スマート撮影装置を回転させる回転指示であると判定するように構成される第２判定モジュールと
を備える、請求項９記載の装置。
【請求項１３】
スマート撮影装置に適用される、ビデオ画像を制御するための装置であって、スマート撮影装置は、クレードルヘッドとカメラとを含み、
スマート端末から送信された回転指示を受信するよう構成される受信ユニットと、
前記回転指示に応じて前記クレードルヘッドを制御してカメラを回転駆動し、回転後、ビデオ画像を撮影し、そして前記スマート端末に映像を返送するよう構成される制御ユニットと
を備えた装置。
【請求項１４】
前記制御ユニットは、
前記クレードルヘッドを制御し、前記カメラを所定の方向に所定の角度だけ回転駆動させるように構成される第１制御サブユニットと、
前記クレードルヘッドを制御し、前記カメラを所定の方向に連続的に回転駆動させるように構成される第２制御サブユニットと
を含む、請求項１３記載の装置。
【請求項１５】
端末であって、
プロセッサと、
前記プロセッサによって実行可能な命令を格納するためのメモリと
を備え、
前記プロセッサは、
スマート撮影装置により撮影された第１ビデオ画像を表示するときに、所定の回転指示を受信したか否かを検知し、
前記所定の回転指示が検出された場合に、前記スマート撮影装置に前記所定の回転指示を送信し、
スマート撮影装置が所定の回転指示に従って回転した後に、スマート撮影装置によって撮影された第２ビデオ画像を表示する
よう構成される端末。
【請求項１６】
端末であって、
クレードルヘッドと、
カメラと、
プロセッサと、
前記プロセッサによって実行可能な命令を格納するためのメモリと
を備え、
前記プロセッサは、
スマート端末から送信された回転指示を受信し、
前記回転指示に従って前記クレードルヘッドを制御して前記カメラを回転駆動させ、
回転後のビデオ画像を撮影し、前記スマート端末に前記ビデオ画像を返送する
ように構成される端末。
【発明の詳細な説明】
【技術分野】
【０００１】
本開示は、一般に、通信技術分野、より詳細には、ビデオ画像を制御するための方法及び装置、並びに端末に関する。
【背景技術】
【０００２】
現在、スマートフォンとそれに関連付けられたスマート撮影装置とがそれぞれネットワークに接続された後、スマート撮影装置によって撮影されたビデオ画像はスマートフォンを介してリアルタイムに表示され得る。しかし、スマート撮影装置の広角の限界により、撮影されるビデオ画像の範囲が限定される。
【発明の概要】
【０００３】
このような従来技術に存する問題点を解決するために、本開示は、ビデオ画像を制御する方法及び装置、並びに端末を提供する。
【０００４】
本開示の実施形態の第１の態様によれば、スマート撮影装置に関連付けられたスマート端末に適用される、ビデオ画像を制御するための方法が提供される。その方法は、前記スマート撮影装置により撮影された第１ビデオ画像を表示するときに、所定の回転指示が受信されたか否かを検出し、前記所定の回転指示が検出された場合に、前記スマート撮影装置に前記所定の回転指示を送信し、スマート撮影装置が所定の回転指示に従って回転した後に、スマート撮影装置によって撮影された第２ビデオ画像を表示することを含む。
【０００５】
あるいは、スマート撮影装置により撮影された第１ビデオ画像を表示するときに、所定の回転指示が受信されたか否かを検出することは、前記第１ビデオ画像を表示するユーザインタフェースの第１の所定位置に回転選択肢を出力し、前記回転選択肢を介して所定の第１タッチイベントが受信された場合に、前記所定の回転指示が受信されたと判定することを含む。
【０００６】
あるいは、第１ビデオ画像を表示するユーザインタフェースの第１の所定位置に回転選択肢を出力することは、所定の第２タッチイベントがユーザインタフェースの第２の所定位置で受信されたか否かを検出し、前記所定の第２タッチイベントが受信された場合に、前記ユーザインタフェースの前記第１の所定位置に前記回転選択肢を出力することを含む。
【０００７】
あるいは、本方法は、更に、前記回転選択肢を出力した後、前記ユーザインタフェースの第３の所定位置で第３タッチイベントが受信されたか否かを検出し、前記所定の第３タッチイベントが受信された場合に、前記回転選択肢を隠すことを含む。
【０００８】
あるいは、所定の回転指示が受信されたと判定することは、前記所定の第１タッチイベントがシングルクリックイベントである場合に、受信された前記所定の回転指示が、前記スマート撮影装置を所定の方向に所定の角度だけ回転させる回転指示であると判定することと、前記所定の第１タッチイベントが長押しイベントである場合に、受信された前記所定の回転指示が、前記スマート撮影装置を前記所定の方向に連続的に回転させるための回転指示であると判定することとを含む。
【０００９】
本開示の実施の形態の第２の態様によれば、スマート撮影装置に適用される、ビデオ画像を制御するための方法が提供される。前記スマート撮影装置は、クレードルヘッドとカメラとを含む。この方法は、スマート端末から送信された回転指示を受信することと、前記回転指示に従ってクレードルヘッドを制御して前記カメラを回転駆動させることと、前記カメラを回転させた後にビデオ画像を撮影し、当該ビデオ画像をスマート端末に返送することとを含む。
【００１０】
あるいは、回転指示に従ってクレードルヘッドを制御してカメラを回転駆動させることは、クレードルヘッドを制御して、カメラを所定の方向に所定の角度だけ回転駆動させること、又は、クレードルヘッドを制御してカメラを所定の方向に連続的に回転駆動させることを含む。
【００１１】
本開示の実施形態の第３の態様によれば、スマート撮影装置に関連付けられたスマート端末に適用される、ビデオ画像を制御するための装置が提供される。当該装置は、前記スマート撮影装置により撮影された第１ビデオ画像を表示するときに、所定の回転指示が受信されたか否かを検出するよう構成される検出ユニットと、前記所定の回転指示が検出された場合に、前記スマート撮影装置に前記所定の回転指示を送信するよう構成される送信ユニットと、スマート撮影装置が所定の回転指示に従って回転した後に、スマート撮影装置によって撮影された第２ビデオ画像を表示するよう構成される表示ユニットとを備える。
【００１２】
あるいは、前記検出ユニットは、前記第１ビデオ画像を表示するユーザインタフェースの第１の所定位置に回転選択肢を出力するように構成される出力サブユニットと、前記回転選択肢を介して所定の第１タッチイベントが受信された場合に、前記所定の回転指示が受信されたと判定するように構成される判定サブユニットとを備える。
【００１３】
あるいは、前記出力サブユニットは、所定の第２タッチイベントが前記ユーザインタフェースの第２の所定位置において受信されたか否かを検出するよう構成される第１検出モジュールと、前記所定の第２タッチイベントが受信された場合に、前記ユーザインタフェースの前記第１の所定位置に回転選択肢を出力するよう構成される出力モジュールとを備える。
【００１４】
あるいは、出力サブユニットは、所定の第３タッチイベントが前記ユーザインタフェースの第３の所定位置で受信されたか否かを検出するように構成される第２検出モジュールと、前記所定の第３タッチイベントが受信された場合に、前記回転選択肢を隠すように構成される隠蔽モジュールとを備える。
【００１５】
あるいは、判定サブユニットは、前記所定の第１タッチイベントがシングルクリックイベントである場合に、受信された前記所定の回転指示が所定の方向に所定の角度だけ前記スマート撮影装置を回転させる回転指示であると判定するよう構成される第１判定モジュールと、前記所定の第１タッチイベントが長押しイベントである場合に、受信された前記所定の回転指示が前記スマート撮影装置を前記所定の方向に連続的に回転させる回転指示であると判定するように構成されるよう構成される第２判定モジュールとを備える。
【００１６】
本開示の実施の形態の第４の態様によれば、スマート撮影装置に適用される、ビデオ画像を制御するための装置が提供される。前記スマート撮影装置は、クレードルヘッドとカメラとを含む。この装置は、スマート端末から送信された回転指示を受信するよう構成される受信ユニットと、回転指示に応じてクレードルヘッドを制御してカメラを回転駆動させ、回転後のビデオ画像を撮影し、スマート端末にビデオ画像を返送するよう構成される制御ユニットとを備えたことを特徴とする。
【００１７】
あるいは、制御ユニットは、前記クレードルヘッドを制御し、前記カメラを所定の方向に所定の角度だけ回転駆動させるように構成される第１制御サブユニットと、前記クレードルヘッドを制御し、所定の方向に連続的に前記カメラを回転駆動させるように構成される第２制御サブユニットとを含む。
【００１８】
本開示の実施の形態の第５の態様によれば、プロセッサと、前記プロセッサによって実行可能な命令を格納するためのメモリとを備えた端末が提供される。前記プロセッサは、前記スマート撮影装置により撮影された第１ビデオ画像を表示するときに、所定の回転指示を受信したか否かを検知し、前記所定の回転指示が検出された場合に、前記スマート撮影装置に前記所定の回転指示を送信し、スマート撮影装置が所定の回転指示に従って回転した後に、スマート撮影装置によって撮影された第２ビデオ画像を表示するよう構成される。
【００１９】
本開示の実施の形態の第６の態様によれば、クレードルヘッドと、カメラと、プロセッサと、前記プロセッサによって実行可能な命令を格納するためのメモリとを備えた端末が提供される。前記プロセッサは、スマート端末から送信された回転指示を受信し、前記回転指示に従って前記クレードルヘッドを制御して前記カメラを回転駆動させ、回転後のビデオ画像を撮影し、前記スマート端末に前記ビデオ画像を返送するように構成される。
【００２０】
本開示の実施形態によって提供される技術的解決手段は、以下の利点を含み得る。
【００２１】
本開示では、ビデオ画像を表示するときに、所定の回転指示が受信されると、その回転指示をスマート撮影装置に送信し、回転指示に従ってスマート撮影装置は回転することができる。スマート撮影装置は、回転後に他の範囲内のビデオ画像を撮影することができるので、ビデオ画像のカバー範囲が拡大され、ユーザ体験が向上する。
【００２２】
本開示では、ビデオ画像に回転選択肢が表示されるので、回転選択肢を介してユーザが入力したタッチイベントが受信され、回転指示が受信されたことを迅速に判定することができる。 このように、ユーザが回転指示を入力することはユーザにとって便利なもととなり得て、これにより、ユーザの操作の簡素化が進展し、ユーザ体験を良好なものにすることができる。
【００２３】
本開示では、ユーザインタフェースは、ビデオ画像のみを表示し、ユーザインターフェースの第２の所定位置で所定の第２タッチイベントが受信されたとき、すなわち、ユーザが回転指示を入力する必要があるとき、ユーザによる選択のための回転選択肢を出力することができる。したがって、ユーザが回転指示を入力する必要がない場合にはフルビデオ画像が表示され得るので、ビデオ画像の表示効果が向上する。
【００２４】
本開示では、ユーザが回転指示を入力した後、第３のタッチイベントがトリガされ、端末がいったん第３のタッチイベントを検出すると、表示された回転選択肢は隠される。そうすると、フルビデオ画像が表示され得るので、これにより映像の表示効果を向上させることができる。
【００２５】
本開示では、ユーザが回転選択肢をシングルクリックした場合、スマート端末はシングルクリックイベントを検知し、そして受信された回転指示が、前記スマート撮影装置を所定の方向に所定の角度だけ回転させるための回転指示であると判定される。
【００２６】
ユーザが回転選択肢を長押しした場合、スマート端末は長押しイベントを検知し、そして受信された回転指示が、所定の方向に連続して前記スマート撮影装置を回転させるための回転指示であると判定される。このように、スマート撮影装置の回転角を調整することはユーザにとって便利なものとなり得、これにより、ユーザの操作の簡便性が進展し、ユーザ体験を良好なものとすることができる。
【００２７】
本開示では、カメラがクレードルヘッド上に設置され得て、クレードルヘッドを任意の方向および任意の角度だけ回転させることができる。スマート端末により送信された回転指示を受信した場合には、回転指示に従ってクレードルヘッドを制御してカメラを回転駆動することができ、回転後にビデオ画像が撮影され、スマート端末に返送される。カメラは回転後に広い範囲の映像を撮影することができるため、監視範囲が拡大される。
【００２８】
本開示では、ユーザは、スマート撮影装置をより小さい範囲内で回転させることを要求する場合には、スマート撮影装置を所定の方向に所定の角度だけ回転させるようにすることができる。また、スマート撮影装置をより広い範囲内で回転させることを要求する場合には、連続的にスマート撮影装置を回転させることもできる。これにより、監視範囲が迅速に変更され、ユーザー体験が向上する。
【００２９】
本明細書中に組み込まれて、本明細書の一部を構成する添付図面は、本発明に従った実施形態を例示するものであり、発明の詳細な説明と共に、本明細書の原則を説明する役割を有するものである。
【図面の簡単な説明】
【００３０】
【図１Ａ】例示の実施形態によるビデオ画像を制御する方法を示すフローチャートである。
【図１Ｂ】例示の実施形態による、共通のアプリケーションシーンを示す概略図である。
【図１Ｃ】例示の実施形態による、ビデオ画像を表示するスマート端末を示す概略図である。
【図２Ａ】例示の実施形態による、ビデオ画像を制御する別の方法を示すフローチャートである。
【図２Ｂ】例示の実施形態による、ビデオ画像を表示する別のスマート端末を示す概略図である。
【図３】本発明の例示の実施形態に係るビデオ画像の制御方法を示すフローチャートである。
【図４】本発明の例示の実施形態によるビデオ映像を制御するための装置のブロック図である。
【図５】例示の実施形態による、ビデオ画像を制御する別の装置のブロック図である。
【図６】例示の実施形態による、ビデオ画像を制御する別の装置のブロック図である。
【図７】例示の実施形態による、ビデオ画像を制御する別の装置のブロック図である。
【図８】例示の実施形態による、ビデオ画像を制御する別の装置のブロック図である。
【図９】例示の実施形態による、ビデオ画像を制御する別の装置のブロック図である。
【図１０】例示の実施形態による、ビデオ画像を制御する別の装置のブロック図である。
【図１１】例示の実施形態による、ビデオ画像を制御するための装置のブロック図である。
【発明を実施するための形態】
【００３１】
ここで、例示的な実施形態を詳細に参照し、その例を添付図面に示す。
【００３２】
以下の説明は、添付の図面を参照するものであり、異なる図面における同じ番号は、別段の記載がない限り、同じ又は類似の要素を表す。以下の例示的な実施形態の説明に記載された実施形態は、本発明と一致する全ての実施形態を表すものではない。それよりも、それらは、添付の請求項に記載された本発明に関連する態様に一致する装置及び方法の単なる例である。
【００３３】
本開示で使用される用語は、特定の実施形態の説明の目的のためにすぎず、本開示を限定するように構成されていない。本開示及び添付の特許請求の範囲で使用される「a/an」、「the」などの単数形は、文脈中に別途明確に示されない限り、複数形も含む。本明細書で使用する「and/or（及び/又は）」という用語は、関連する列挙された事項のいずれか１つ、又はそれらの全ての組み合わせを意味することにも留意すべきである。
【００３４】
種々の情報を記述するための第１、第２、第３の用語は、これらの用語に限定されるべきではないことに留意すべきである。これらの用語は、同じ種類の情報を区別するためのものである。
【００３５】
例えば、本開示の範囲から逸脱することなく、第１情報を第２情報とも呼ぶことができ、同様に、第２情報も第１情報と呼ぶことができる。文脈に応じて、本明細書で使用される「〜であれば」「〜ならば」(if)という語は、「〜の間」（during）又は「〜の際」（when）又は「決定しつつ応答する（responding determining）」として解釈されてもよい。
【００３６】
図１Ａは、例示の実施形態によるビデオ画像を制御する方法を示すフローチャートである。この方法は、スマート撮影装置に関連付けられたスマート端末に適用され、以下のステップを含む。
【００３７】
ステップ１０１において、スマート撮影装置によって撮影された第１ビデオ画像を表示するときに、所定の回転指示が受信されたか否かが検出される。
【００３８】
本開示の実施形態に含まれるスマート撮影装置は、ビデオ撮影機能とワイヤレスネットワークアクセス機能の両方を有するスマートデバイスであってもよく、スマート撮影装置は、必要に応じて、モニタリングの要求のある任意の場所に配置されてもよい。スマート撮影装置の構造はまた、一般に、カメラと、カメラを回転させるように駆動するクレードルヘッドとを含む。
【００３９】
本開示の実施形態に含まれるスマート端末は、例えば、スマートフォンなどの携帯端末、パネルコンピュータ、ＰＤＡ（Personal Digital Assistant）など、ワイヤレスネットワークアクセス機能とビデオ再生機能の両方を有するスマートデバイスであってよい。
【００４０】
スマート端末は、事前にスマート撮影装置との関連を確立することができる。スマート端末とスマート撮影装置がそれぞれネットワークに接続されている場合、スマート端末はスマート撮影装置とワイヤレス接続を確立し、スマート撮影装置によってワイヤレス接続を介して送信されたビデオ画像を受信することができる。スマート撮影装置は、スマート端末とのワイヤレス接続が確立された後、リアルタイムで撮影されたビデオ画像をスマート端末に送信することができる。
【００４１】
ステップ１０２において、回転指示が検出された場合、スマート撮影装置に回転指示が送信される。
スマート撮影装置からビデオ画像を取得した後、スマート端末は、端末のユーザが見ることができるように、端末の表示画面上にビデオ画像を表示する。図１Ｂに示すように、図１Ｂは、スマート端末としての携帯電話と、スマート撮影装置としてのＸｉａｏＹｉカメラとを含む、例示の実施形態による共通アプリケーションシーンを示す概略図である。
【００４２】
ユーザは自宅の居間にスマート撮影装置を設置し、ワイヤレス接続を介して、スマート撮影装置によって送信されたビデオ画像を受信することによって、スマート端末を用いた遠隔監視を行うことができる。一般に、スマート撮影装置の撮影の視角は、１１０°から１８０°の間などに制限される。図１Ｂのスマート撮影装置は、ＸｉａｏＹｉカメラと、ＸｉａｏＹｉカメラの下方に設置されたクレードルヘッドを含む。ＸｉａｏＹｉカメラの広角は１１０°である。したがって、ＸｉａｏＹｉカメラがビデオ画像を収集するための特定の場所に固定されていれば、図１のスマート端末によって表示されたビデオ画像から、ＸｉａｏＹｉカメラの監視範囲は限られていることを知ることができる。
【００４３】
本開示の実施形態では、ユーザはスマート端末に回転指示を入力することができる。回転指示を受信した場合、スマート端末はスマート撮影装置に回転指示を送信し、スマート撮影装置は、回転指示に従って、カメラを回転駆動させるためにクレードルヘッドを回転させることができる。したがって、カメラの回転により、より広い範囲のビデオ画像が撮影され且つディスプレイ画面に表示するためにスマート端末に返送され得る。これにより監視範囲が広がり、ユーザ体験が改善される。
【００４４】
図１Ｃに示すように、図１Ｃは、本開示によるビデオ画像を表示するスマート端末を示す概略図である。図１Ｂのスマート端末の概略図と比較すると、図１Ｃは、回転後にカメラによって撮影された映像を示しており、監視範囲が拡大されている。
【００４５】
他の実施形態では、スマート撮影装置によって撮影された第１ビデオ画像を表示するときに、所定の回転指示が受信されたか否かを検出することは、前記第１ビデオ画像を表示するユーザインタフェースの第１の所定位置に回転選択肢を出力することと、そして前記回転選択肢を介して所定の第１タッチイベントが受信された場合に、前記所定の回転指示が受信されたと判定することとを含むことができる。
【００４６】
第１の所定位置は、第１ビデオ画像を表示するユーザインタフェース上の任意の位置、例えば、ユーザインタフェースの４つの辺のそれぞれの中点位置、又はユーザインタフェースの頂点位置であってもよい。
【００４７】
回転選択肢は、１つ以上であってもよく、アイコン又は選択ボックスの形で表示されてもよい。ユーザがアイコン又は選択ボックスをクリックすると、回転指示が受信されたと判定される。
【００４８】
第１タッチイベントは、シングルクリックイベント、ダブルクリックイベント、又は長押しイベントなどであってもよい。
【００４９】
上述した第１所定位置、回転選択肢及び第１タッチイベントは、本実施形態に限定されるものではなく、実際の要求に応じて当業者が柔軟に構成することができる。
【００５０】
本開示の実施形態によれば、ビデオ画像に回転選択肢が表示されているので、ユーザにより回転選択肢を介して入力されたタッチイベントを受信することにより、回転指示が受信されたと迅速に判断することができる。このように、回転指示を入力することはユーザにとって便利なものとなり得、これにより、ユーザの操作の簡素化を進展させ、ユーザ体験を良好なものとすることができる。
【００５１】
第１ビデオ画像を表示するユーザインタフェースの第１の所定位置に回転選択肢を出力することは、所定の第２タッチイベントがユーザインタフェースの第２の所定位置で受信されたか否かを検出し、前記第２タッチイベントが受信された場合、前記ユーザインタフェースの前記第１の所定位置に前記回転選択肢を出力することを含む。
【００５２】
第２の所定位置は、第１ビデオ画像を表示するユーザインタフェース上の任意の位置、例えば、ユーザインタフェースの中間点、又はユーザインタフェースの中央領域内の位置などであってもよい。
【００５３】
第２タッチイベントは、シングルクリックイベント、ダブルクリックイベント、又は長押しイベントなどであってもよい。
【００５４】
上述した第２所定位置及び第２タッチイベントは、本実施形態に限定されるものではなく、実際の要求に応じて当業者が柔軟に構成することができる。
【００５５】
上記の実施形態では、ユーザインタフェースは、ビデオ画像のみを表示し、ユーザインタフェースの第２の所定位置で所定の第２タッチイベントが受信されたとき、すなわち、ユーザが回転指示を入力する必要があるときに、ユーザインタフェースは、ユーザが選択をするための回転選択肢を出力することができる。したがって、ユーザが回転指示を入力する必要がない場合にはフルビデオ画像が表示され得るので、ビデオ画像の表示効果が向上する。
【００５６】
回転選択肢を出力した後、所定の第３タッチイベントがユーザインタフェースの第３の所定位置で受信されたか否かが検出される。３番目のタッチイベントが受信された場合、回転選択肢は隠される。
【００５７】
第３の所定位置は、ビデオ・イメージを表示するユーザ・インタフェース上の任意の位置、例えばユーザ・インタフェースの中間点、又はユーザ・インタフェースの中央領域内の位置などであってもよい。
【００５８】
第３タッチイベントは、シングルクリックイベント、ダブルクリックイベント、長押しイベントなどであってもよい。
【００５９】
上述した第３の所定位置及び第３のタッチイベントは、当業者であれば柔軟に構成することができ、本実施形態に限定されるものではない。
【００６０】
上記の実施形態では、ユーザが回転指示を入力した後、第３のタッチイベントがトリガされ、端末がいったん第３のタッチイベントを検出すると、表示された回転選択肢が隠されてフルビデオ画像が表示され得るので、ビデオ画像の表示効果を向上させることができる。
【００６１】
別の実施態様では、回転指示が受信されたと判定することは、前記第１タッチイベントがシングルクリックイベントである場合、受信された前記回転指示が、所定の方向に所定の角度だけ前記スマート撮影装置を回転させるための回転指示であると判定し、前記第１タッチイベントが長押しイベントである場合、受信された前記回転指示が、所定の方向に連続的にスマート撮影装置を回転させるための回転指示であると判定することを含む。
【００６２】
上記実施形態では、ユーザが回転選択肢をシングルクリックすると、スマート端末がシングルクリックイベントを検出し、受信した回転指示が、所定の方向に所定の角度だけスマート撮影装置を回転駆動する回転指示であると判定される。ユーザが回転選択肢を長押しすると、スマート端末が長押しイベントを検出し、受信した回転指示が、所定の方向に連続的にスマート撮影装置を回転させる回転指示であると判定される。このように、ユーザがスマート撮影装置の回転角度を調整することは便利なものとなり得、これにより、したがって、ユーザの操作の簡素化を進展させ、ユーザ体験を向上させることができる。
【００６３】
ステップ１０３では、スマート撮影装置が回転指示に従って回転した後、スマート撮影装置によって撮影された第２ビデオ画像が表示される。回転指示に従ってスマート撮影装置を回転させた後、スマート撮影装置の撮影範囲を変更し、スマート撮影装置で撮影した回転後のビデオ画像をスマート撮影装置に送り表示することでスマート撮影装置の監視範囲が広がり、ユーザ体験が改善する。
【００６４】
図２Ａに示すように、図２Ａは、例示の実施形態による、ビデオ画像を制御する別の方法を示すフローチャートである。この方法は、以下のステップを含む。
ステップ２０１において、スマート撮影装置によって撮影されたビデオ画像が表示されるとき、このビデオ画像を表示するユーザインタフェースの第２の所定位置が所定の第２タッチイベントを受信したか否かが検出される。
【００６５】
ステップ２０２において、第２タッチイベントが受信された場合、ユーザインタフェースの第１の所定位置に回転選択肢が出力される。
ステップ２０３では、回転選択肢を介して所定の第１タッチイベントが受信された場合、回転指示が受信されたと判定される。
【００６６】
ステップ２０４において、回転指示が検出された場合、スマート撮影装置に回転指示が送信される。
ステップ２０５では、スマート撮影装置が回転指示に従って回転した後、スマート撮影装置によって撮影されたビデオ画像が表示される。
【００６７】
ステップ２０６では、所定の第３のタッチイベントがユーザインタフェースの第３の所定位置で受信されたか否かが検出される。
【００６８】
ステップ２０７では、第３タッチイベントが受信された場合、回転選択肢は隠される。
【００６９】
例えば図２Ｂに示すように、図２Ｂは、本開示によるビデオ画像を表示するスマート端末を示す概略図である。図から理解され得るように、スマートフォンは、カメラによって現在撮影されているビデオ画像を表示する。ユーザがビデオ画像の中心をクリックすると、端末は第２タッチイベントを受信し、回転選択肢はユーザインタフェースの４つのエッジのそれぞれの中間位置に出力される。４つの回転選択肢は、図においてアイコンの形で示され、これらの４つのアイコンは、それぞれ、上向き、下向き、左向き及び右向きの回転方向に対応する。ユーザが右向きのアイコンをシングルクリックすると、スマートフォンは第１タッチイベントを受信し、回転指示が生成されたと判定し、回転指示をスマート撮影装置に送信する。スマート撮影装置は、いったん回転指示を受信すると、クレードルヘッドを回転制御してカメラを所定角度回転させ、撮影された映像をカメラからスマートフォンに出力する。ユーザが回転指示を入力する必要がない場合、ビデオ画像の中心が再びクリックされ得て、スマートフォンが第３のタッチイベントを受信すると、回転選択肢は隠される。このようにして、ユーザインタフェースは回転選択肢を表示しないので、ビデオ画像の表示効果がより良好になる。
【００７０】
図３に示すように、図３は、本発明の例示の実施形態に係る、ビデオ画像の制御方法を示すフローチャートである。この方法は、スマート撮影装置に適用される。スマート撮影装置は、クレードルヘッドとカメラとを含む。この方法は、以下のステップを含む。
【００７１】
ステップ３０１では、スマート端末から送信された回転指示が受信される。
【００７２】
ステップ３０２では、回転指示に従ってクレードルヘッドが制御されてカメラが回転駆動され、回転後にビデオ画像が撮影され、スマート端末に返送される。
【００７３】
この実施形態では、カメラはクレードルヘッド上に設置させることができ、またクレードルヘッドは任意の方向に任意の角度だけ回転することができる。スマート端末から送信された回転指示を受信した場合には、回転指示に従ってクレードルヘッドを制御してカメラを回転駆動させることができる。そして回転後にビデオ画像を撮影してスマート端末に返送する。カメラは回転後に広い範囲の映像を撮影することができるため、監視範囲が拡大される。
【００７４】
前記回転指示に従って前記カメラを回転させるように前記クレードルヘッドを制御することは、前記クレードルヘッドを制御して前記カメラを所定の方向に所定の角度だけ回転駆動させること、又は、前記クレードルヘッドを制御して前記カメラを所定の方向に連続的に回転駆動させることを含むことができる。
【００７５】
所定の方向は、水平左上又は鉛直上方向のような任意の方向であってもよく、所定の角度は１０°、１２°又は１５°であってもよい。この２つの回転方式により、ユーザは、スマート撮影装置をよりより小さな範囲で回転させることを要求するときに、スマート撮影装置を所定の角度だけ所定の角度だけ回転させることができる。スマート撮影装置をより大きな範囲で回転させることを要求するときには、連続的にスマート撮影装置を回転させることもできる。これにより、監視範囲が迅速に変更され、ユーザ体験が向上する。
【００７６】
図４に示すように、図４は、本発明の例示の実施形態による、ビデオ映像を制御するための装置のブロック図である。この装置は、スマート撮影装置に関連付けられたスマート端末に適用される。装置は、検出ユニット４１０と、送信ユニット４２０と、表示ユニット４３０とを備える。
【００７７】
検出ユニット４１０は、スマート撮影装置によって撮影された第１ビデオ画像を表示するときに、所定の回転指示が受信されたか否かを検出するよう構成されている。
【００７８】
送信ユニット４２０は、回転指示が検出された場合にスマート撮影装置に回転指示を送信するように構成されている。
【００７９】
表示ユニット４３０は、回転指示に応じてスマート撮影装置を回転させた後、スマート撮影装置によって撮影された第２ビデオ画像を表示するように構成されている。
【００８０】
上記の実施の形態から、本開示によれば、ビデオ画像を表示するときに、所定の回転指示を受信した場合には、その回転指示がスマート撮影装置に送信され、スマート撮影装置はその回転指示に従って回転させてもよい、ということが分かる。スマート撮影装置は、回転後に他の範囲のビデオ画像を取り込むことができるので、ビデオ画像のカバー範囲が拡大され、ユーザ体験が向上する。
【００８１】
図５に示すように、図５は、例示の実施形態による、ビデオ画像を制御する別の装置のブロック図である。図４の実施の形態に基づくと、本実施形態の検出ユニット４１０は、出力サブユニット４１１と判定サブユニット４１２とを含む。
【００８２】
出力サブユニット４１１は、第１ビデオ画像を表示するユーザインタフェースの第１の所定位置に回転選択肢を出力するように構成される。
【００８３】
判定サブユニット４１２は、回転選択肢を介して所定の第１タッチイベントが受信された場合、回転指示が受信されたと判定するように構成される。
【００８４】
また、上記の実施の形態から、本開示によれば、回転選択肢がビデオ画像に表示されているので、回転選択肢を介してユーザから入力されたタッチイベントを受信することにより、回転指示が受信されたと迅速に判断することができる、ということが分かる。このようにユーザが回転指示を入力することはユーザにとって便利なものとなり得、これにより、ユーザの操作の簡素化を進展させ、ユーザの体験を良好なものとすることができる。
【００８５】
図６に示すように、図６は、例示の実施形態による、ビデオ画像を制御する別の装置のブロック図である。図４の実施形態に基づけば、本実施形態の出力サブユニット４１１は、第１検出モジュール４１１１と、出力モジュール４１１２とを含む。
【００８６】
第１検出モジュール４１１１は、所定の第２タッチイベントがユーザインタフェースの第２所定位置で受信されたか否かを検出するように構成される。
【００８７】
出力モジュール４１１２は、第２タッチイベントが受信された場合、ユーザインタフェースの第１の所定位置に回転選択肢を出力するように構成される。
【００８８】
上記の実施形態からわかるように、本開示では、ユーザインタフェースは、ビデオ画像を表示するだけでよく、所定の第２タッチイベントがユーザインタフェースの第２の所定位置で受信された場合、すなわちユーザが回転指示を入力する必要がある場合には、ユーザが選択を行うための回転選択肢を出力する。ユーザが回転指示を入力する必要がない場合には、フルビデオ画像が表示され得るので、これによりビデオ画像の表示効果が向上する。
【００８９】
図７に示すように、図７は、例示の実施形態による、ビデオ画像を制御するための別の装置のブロック図である。図４の実施形態に基づけば、本実施形態の出力サブユニット４１１は、第２検出モジュール４１１３と、隠蔽モジュール４１１４とをさらに含む。
【００９０】
第２検出モジュール４１１３は、所定の第３タッチイベントがユーザインタフェースの第３の所定位置で受信されたか否かを検出するように構成される。
【００９１】
隠蔽モジュール４１１４は、第３タッチイベントが受信された場合、回転選択肢を隠すように構成される。
【００９２】
上記の実施形態から、本開示では、ユーザが回転指示を入力した後、第３タッチイベントがトリガされ、端末が第３タッチイベントを検出すると、表示された回転選択肢が隠され、フルビデオ画像を表示することができ、ビデオ画像の表示効果を向上させることができる。
【００９３】
図８に示すように、図８は、本発明の例示の実施形態による、ビデオ画像を制御する別の装置のブロック図である。図４の実施形態に基づけば、本実施形態の判定サブユニット４１２は、第１判定モジュール４１２１と第２判定モジュール４１２２とをさらに含む。
【００９４】
第１判定モジュール４１２１は、第１タッチイベントがシングルクリックイベントである場合に、受信した回転指示がスマート撮影装置を所定の方向に所定の角度だけ回転させるための回転指示であると判定するように構成される。
【００９５】
第２判定モジュール４１２２は、第１タッチイベントが長押しイベントである場合に、受信した回転指示が所定の方向に連続的にスマート撮影装置を回転させるための回転指示であると判定するように構成される。
【００９６】
上記の実施形態から分かるように、本開示では、ユーザが回転選択肢をシングルクリックした場合、スマート端末がシングルクリックイベントを検出し、そして受信した回転指示がスマート撮影装置を所定の方向に所定の角度だけ回転させるための回転指示であると判定される。
【００９７】
ユーザが回転選択肢を長押しした場合、スマート端末が長押しイベントを検出し、そして受信した回転指示が所定の方向に連続的にスマート撮影装置を回転させるための回転指示であると判定される。このように、ユーザがスマート撮影装置の回転角度を調整することは便利なものとなり得、これにより、したがって、ユーザの操作の簡素化を進展させ、ユーザ体験を向上させることができる。
【００９８】
図９に示すように、図９は、本発明の例示の実施形態によるビデオ画像制御装置のブロック図である。この装置は、スマート撮影装置に適用され、スマート撮影装置は、クレードルヘッド及びカメラを含む。装置は、受信ユニット９１０及び制御ユニット９２０を含む。受信ユニット９１０は、スマート端末から送信された回転指示を受信するように構成されている。制御部９２０は、回転命令に応じてクレードルヘッドを制御してカメラを回転駆動させ、回転後の映像を撮影し、スマート端末に映像を返送するように構成されている。
【００９９】
上述の実施形態から、本開示では、カメラがクレードルヘッド上に設置され、クレードルヘッドは任意の方向に任意の角度で回転させることができることが分かる。スマート端末から送信された回転指示が受信されれば、回転指示に従ってクレードルヘッドを制御してカメラを回転駆動させ、回転後にビデオ画像を撮影してスマート端末に返送することができる。カメラは回転後に広い範囲の映像を撮影することができるため、監視範囲が拡大される。
【０１００】
図１０に示すように、図１０は、例示の実施形態による、ビデオ画像を制御する別の装置のブロック図である。図９の実施形態に基づけば、本実施形態の制御ユニット９２０は、第１制御サブユニット９２１と、第２制御サブユニット９２２とを含む。
【０１０１】
第１制御サブユニット９２１は、クレードルヘッドを制御してカメラを所定の方向に所定の角度だけ回転させるように構成されている。
【０１０２】
第２制御サブユニット９２２は、クレードルヘッドを制御して、カメラを所定の方向に連続的に回転させるように構成される。
【０１０３】
本開示では、ユーザは、スマート撮影装置をより小さい範囲内で回転させることを要求する場合には、スマート撮影装置を所定の方向に所定の角度だけ回転させるようにすることができる。スマート撮影装置をより広い範囲内で回転させる必要がある場合、連続的にスマート撮影装置を回転させるようにすることもできる。これにより、監視範囲が迅速に変更され、ユーザ体験が向上する。
【０１０４】
したがって、本開示はまた、プロセッサ、及び前記プロセッサによって実行可能な命令を記憶するためのメモリを含む端末を提供する。前記プロセッサは、前記スマート撮影装置により撮影された第１ビデオ画像を表示するときに、所定の回転指示を受信したか否かを検知し、前記所定の回転指示が検出された場合に、前記スマート撮影装置に前記所定の回転指示を送信し、スマート撮影装置が所定の回転指示に従って回転した後に、スマート撮影装置によって撮影された第２ビデオ画像を表示するよう構成される。
【０１０５】
したがって、本開示はまた、クレードルヘッド、カメラ、プロセッサ、前記プロセッサによって実行可能な命令を記憶するためのメモリを含む端末を提供する。前記プロセッサは、スマート端末から送信された回転指示を受信し、回転指示に従ってクレードルヘッドを制御してカメラを回転駆動させ、回転後のビデオ画像を撮影し、スマート端末にビデオ画像を返送するよう構成される。
【０１０６】
上述の実施形態の装置に関して、個々のユニットのための動作を実行するための特定の方法は、上記の方法に関する実施形態において詳細に説明されているが、ここでは詳述しない。
【０１０７】
装置の実施形態は、方法の実施形態に対応する。関連する内容については、方法の実施形態の部分的な説明を参照する。上記装置の実施形態は例示的なものである。別々のコンポーネントとして記述されているユニットは、物理的に分離されていてもよいし、されていなくてもよい。ユニットとして示される構成要素は、物理ユニットであってもよいし、なくてもよく、言い換えれば、１つの位置に統合されていてもよいし、複数のネットワークユニットに分散されていてもよい。モジュールのいくつか又は全ては、実際の要件に従って、実施形態の解決すべき目的を達成するように選択されてもよい。当業者は、創造的な努力をすることなく、本開示を理解し実施することができる。
【０１０８】
図１１に示すように、図１１は、例示の実施形態による、ビデオ画像を制御するための装置のブロック図である。例えば、デバイス１１００は、携帯電話、コンピュータ、デジタル放送端末、メッセージング装置、ゲームコンソール、タブレット、医療装置、運動器具、パーソナルデジタルアシスタントなどであってもよい。
【０１０９】
図１１に示すように、デバイス１１００は、処理コンポーネント１１０２、メモリ１１０４、電力コンポーネント１１０６、マルチメディアコンポーネント１１０８、オーディオコンポーネント１１１０、入力／出力（Ｉ／Ｏ）インタフェース１１１２、センサコンポーネント１１１４、及び通信コンポーネント１１１６を含む。
【０１１０】
処理コンポーネント１１０２は、典型的には、表示、電話、データ通信、カメラ操作、及び記録操作に関連する操作のようなデバイス１１００の全体的な操作を制御する。処理コンポーネント１１０２は、上述の方法のステップの全て又は一部を実行する命令を実行する１つ又は複数のプロセッサ１１２０を含むことができる。さらに、処理コンポーネント１１０２は、処理コンポーネント１１０２と他のコンポーネントとの間の相互作用を容易にする１つ又は複数のモジュールを含むことができる。例えば、処理コンポーネント１１０２は、マルチメディアコンポーネント１１０８と処理コンポーネント１１０２との間の相互作用を容易にするマルチメディアモジュールを含むことができる。
【０１１１】
メモリ１１０４は、デバイス１１００の動作を支援するための様々な種類のデータを格納するよう構成されている。そのようなデータの例には、デバイス１１００上で操作されるいかなるアプリケーション又は方法のための命令、連絡先データ、電話帳データ、メッセージ、写真、ビデオなどが含まれる。メモリ１１０４は、任意のタイプの揮発性又は不揮発性メモリデバイス、例えばスタティックランダムアクセスメモリ（ＳＲＡＭ）、電気的消去可能プログラマブル読み出し専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスク、又はそれらの組み合わせを使用して実装することができる。
【０１１２】
電力コンポーネント１１０６は、デバイス１１００の様々な構成要素に電力を供給する。電力コンポーネント１１０６は、電力管理システム、１つ以上の電力源、及びデバイス１１００における電力の生成、管理、分配に関連する任意の他の構成要素を含むことができる。
【０１１３】
マルチメディアコンポーネント１１０８は、デバイス１１００とユーザとの間に出力インタフェースを提供するスクリーンを含む。いくつかの実施形態では、スクリーンは、液晶ディスプレイ（ＬＣＤ）及びタッチパネル（ＴＰ）を含むことができる。スクリーンがタッチパネルを含む場合、スクリーンは、ユーザからの入力信号を受信するためのタッチスクリーンとして実現されてもよい。タッチパネルは、タッチパネル上のタッチ、スワイプ及びジェスチャを感知するための１つ以上のタッチセンサを含む。タッチセンサは、タッチ又はスワイプ動作の境界を感知するだけでなく、タッチ又はスワイプ動作に関連する時間及び圧力を感知することもできる。いくつかの実施形態では、マルチメディアコンポーネント１１０８は、フロントカメラ及び／又はリアカメラを含む。デバイス１１００が撮影モード又はビデオモードのような動作モードにある間に、前方カメラ及び後方カメラは外部マルチメディアデータを受信することができる。前側カメラ及び後側カメラの各々は、固定された光学レンズシステムであってもよいし、又はフォーカシング及び光学ズーム能力を有してもよい。
【０１１４】
オーディオコンポーネント１１１０は、オーディオ信号を出力及び／又は入力するように構成されている。例えば、オーディオコンポーネント１１１０は、デバイス１１００が通話モード、録音モード、及び音声認識モードなどの動作モードにあるときに外部オーディオ信号を受信するように構成されるマイクロフォン（「ＭＩＣ」）を含む。受信されたオーディオ信号は、メモリ１１０４にさらに格納されてもよく、又は通信コンポーネント１１１６を介して送信されてもよい。いくつかの実施形態では、オーディオコンポーネント１１１０は、オーディオ信号を出力するスピーカをさらに含む。
【０１１５】
Ｉ／Ｏインタフェース１１１２は、処理コンポーネント１１０２と、キーボード、クリックホイール、ボタンなどの周辺インタフェースモジュールとの間のインタフェースを提供する。ボタンは、ホームボタン、音量ボタン、開始ボタン、及びロックボタンを含むことができるが、これに限定されない。
【０１１６】
センサコンポーネント１１１４は、デバイス１１００の様々な態様の状態評価を提供するための１つ以上のセンサを含む。例えば、センサコンポーネント１１１４は、デバイス１１００の開閉状態、構成要素の相対位置（例えばデバイス１１００のディスプレイ及びキーパッド）、デバイス１１００又はデバイス１１００の構成要素の位置の変化、デバイス１１００とのユーザ接触の有無、デバイス１１００の傾き又は加減速、及びデバイス１１００の温度の変化を検出することができる。センサコンポーネント１１１４は、物理的接触なしで近くの物体の存在を検出するように構成される近接センサを含むことができる。センサコンポーネント１１１４はまた、イメージング用途で使用するためのＣＭＯＳ又はＣＣＤイメージセンサのような光センサを含むことができる。いくつかの実施形態では、センサコンポーネント１１１４は、加速度計センサ、ジャイロセンサ、磁気センサ、圧力センサ、又は温度センサを含むこともできる。
【０１１７】
通信コンポーネント１１１６は、デバイス１１００と他のデバイスとの間の有線又はワイヤレスの通信を容易にするように構成される。デバイス１１００は、ＷｉＦｉ、２Ｇ、又は３Ｇなどの通信規格、又はそれらの組み合わせに基づいてワイヤレスネットワークにアクセスすることができる。例示的な実施形態では、通信コンポーネント１１１６は、放送チャネルを介して外部放送管理システムから放送信号又は放送関連情報を受信する。１つの例示的な実施形態では、通信コンポーネント１１１６は、短距離通信を容易にする近距離通信（ＮＦＣ）モジュールをさらに含む。例えば、無線周波数識別（ＲＦＩＤ）技術、赤外線データ結合（ＩｒＤＡ）技術、超広帯域（ＵＷＢ）技術、ブルートゥース（登録商標）（ＢＴ）技術、及び他の技術に基づいて、ＮＦＣモジュールを実装することができる。
【０１１８】
例示の実施形態において、デバイス１１００は、１つ又は複数の特定用途向け集積回路（ＡＳＩＣｓ）、デジタル信号プロセッサ（ＤＳＰｓ）、デジタル信号処理デバイス（ＤＳＰＤｓ）、プログラマブルロジックデバイス（ＰＬＤｓ）、フィールドプログラマブルゲートアレイ（ＦＰＧＡｓ）、コントローラ、マイクロコントローラ、マイクロプロセッサ、又は他の電子コンポーネントを含むことができる。
【０１１９】
例示的な実施形態では、上述の方法を実行するために、例えばメモリ１１０４に含まれデバイス１１００内のプロセッサ１１２０によって実行可能な命令などの命令を含む、非一時的なコンピュータで読み取り可能な記憶媒体も提供される。例えば、非一時的なコンピュータ読み取り可能な記憶媒体は、ＲＯＭ、ＲＡＭ、ＣＤ−ＲＯＭ、磁気テープ、フロッピー（登録商標）ディスク、光データ記憶装置などであってもよい。
【０１２０】
端末のプロセッサにより実行されるとき、上述したビデオ画像を制御するための方法を端末に実行させる命令をその内部に格納したコンピュータで読み取り可能な非一時的な記憶媒体である。
【０１２１】
本明細書の考察及び本明細書に開示された本発明の実施から、本発明の他の実施形態は当業者に明らかになるであろう。この出願は、その一般原則に従う本発明の任意の変形、使用、又は適応を包含し、当技術分野で知られている又は慣習的な実施の範囲内に入る本開示からの逸脱を含むことが意図される。
【０１２２】
本明細書及び実施例は、例示的なものとしてのみ考慮され、本発明の真の範囲及び精神は、添付の特許請求の範囲によって示されることが意図される。本発明は、上記で説明され、添付の図面に示された正確な構成に限定されず、その範囲から逸脱することなく様々な修正及び変更を行うことができることが理解されよう。本発明の範囲は、添付の特許請求の範囲によってのみ限定されることが意図されている。
【０１２３】
上述の記載は、単に好ましい実施形態であり、本発明を限定するために構成されていない。いかなる修正、均等及び改良も、本発明の範囲内に含まれるべきである。
【図１Ａ】
2017536024.tif 000003
【図１Ｂ】
2017536024.tif 000004
【図１Ｃ】
2017536024.tif 000005
【図２Ａ】
2017536024.tif 000006
【図２Ｂ】
2017536024.tif 000007
【図３】
2017536024.tif 000008
【図４】
2017536024.tif 000009
【図５】
2017536024.tif 000010
【図６】
2017536024.tif 000011
【図７】
2017536024.tif 000012
【図８】
2017536024.tif 000013
【図９】
2017536024.tif 000014
【図１０】
2017536024.tif 000015
【図１１】
2017536024.tif 000016
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
スマート撮影装置に関連付けられたスマート端末に適用される、ビデオ画像を制御する方法であって、
前記スマート撮影装置により撮影された第１ビデオ画像を表示するときに、所定の回転指示が受信されたか否かを検出し、
前記所定の回転指示が検出された場合に、前記スマート撮影装置に前記所定の回転指示を送信し、
前記スマート撮影装置が所定の回転指示に従って回転した後に、前記スマート撮影装置によって撮影された第２ビデオ画像を表示する
ことを含む方法。
【請求項２】
前記スマート撮影装置により撮影された第１ビデオ画像を表示するときに、所定の回転指示が受信されたか否かを検出することは、
前記第１ビデオ画像を表示するユーザインタフェースの第１の所定位置に回転選択肢を出力することと、
前記回転選択肢を介して所定の第１タッチイベントが受信された場合に、前記所定の回転指示が受信されたと判定することと
を含む、請求項１記載の方法。
【請求項３】
前記第１ビデオ画像を表示するユーザインタフェースの第１の所定位置に回転選択肢を出力することは、
所定の第２タッチイベントが前記ユーザインタフェースの第２の所定位置で受信されたか否かを検出することと、
前記所定の第２タッチイベントが受信された場合に、前記ユーザインタフェースの前記第１の所定位置に前記回転選択肢を出力することと
を含む、請求項２記載の方法。
【請求項４】
前記回転選択肢を出力した後、所定の第３タッチイベントが前記ユーザインタフェースの第３の所定位置で受信されたか否かを検出し、
前記所定の第３タッチイベントが受信された場合、前記回転選択肢を隠す
ことを更に含む、請求項２又は３に記載の方法。
【請求項５】
前記所定の回転指示が受信されたと判定することは、
前記所定の第１タッチイベントがシングルクリックイベントである場合、受信した前記所定の回転指示が、前記スマート撮影装置を所定の方向に所定の角度だけ回転させる回転指示であると判定することと、
前記所定の第１タッチイベントが長押しイベントである場合に、受信した前記所定の回転指示が、前記所定の方向に連続的に前記スマート撮影装置を回転させるための回転指示であると判定することとを含む、請求項２〜４のいずれか１項に記載の方法。
【請求項６】
スマート撮影装置に適用される、ビデオ画像を制御するための方法であって、前記スマート撮影装置は、クレードルヘッドとカメラとを備え、
前記方法は、
スマート端末から送信された回転指示を受信し、
前記回転指示に従って前記クレードルヘッドを制御してカメラを回転駆動させ、回転後にビデオ画像を撮影して前記スマート端末に返送する
ことを特徴とする方法。
【請求項７】
前記回転指示に従って前記クレードルヘッドを制御して前記カメラを回転駆動させることは、
前記クレードルヘッドを制御して前記カメラを所定の方向に所定の角度だけ回転駆動させるか、又は
前記クレードルヘッドを制御して前記カメラを所定の方向に連続的に回転駆動させること
を含む、請求項６記載の方法。
【請求項８】
スマート撮影装置に関連付けられたスマート端末に適用される、ビデオ画像を制御するための装置であって、
前記スマート撮影装置により撮影された第１ビデオ画像を表示するときに、所定の回転指示が受信されたか否かを検出するよう構成される検出ユニットと、
前記所定の回転指示が検出された場合に、前記スマート撮影装置に前記所定の回転指示を送信するよう構成される送信ユニットと、
前記スマート撮影装置が前記所定の回転指示に従って回転した後に、前記スマート撮影装置によって撮影された第２ビデオ画像を表示するよう構成される表示ユニットと
を備える装置。
【請求項９】
前記検出ユニットは、
前記第１ビデオ画像を表示するユーザインタフェースの第１の所定位置に回転選択肢を出力するように構成される出力サブユニットと、
前記回転選択肢を介して所定の第１タッチイベントが受信された場合に、前記所定の回転指示が受信されたと判定するように構成される判定サブユニットと、
を備えた、請求項８記載の装置。
【請求項１０】
前記出力サブユニットは、
所定の第２タッチイベントが前記ユーザインタフェースの第２の所定位置で受信されたか否かを検出するように構成される第１検出モジュールと、
前記所定の第２タッチイベントが受信された場合に、前記ユーザインタフェースの前記第１の所定位置に前記回転選択肢を出力するように構成される出力モジュールと
を備える、請求項９記載の装置。
【請求項１１】
前記出力サブユニットは、
所定の第３タッチイベントが前記ユーザインタフェースの第３の所定位置で受信されたか否かを検出するように構成される第２検出モジュールと、
前記所定の第３タッチイベントが受信された場合に、前記回転選択肢を隠すように構成される隠蔽モジュールと
を備える、請求項９又は１０記載の装置。
【請求項１２】
前記判定サブユニットは、前記所定の第１タッチイベントがシングルクリックイベントである場合に、受信した前記所定の回転指示が、所定の方向に所定の角度だけ前記スマート撮影装置を回転させる回転指示であると判定するよう構成される第１判定モジュールと、
前記所定の第１タッチイベントが長押しイベントである場合に、受信した前記所定の回転指示が、前記所定の方向に連続的に前記スマート撮影装置を回転させる回転指示であると判定するように構成される第２判定モジュールと
を備える、請求項９〜１１のいずれか１項に記載の装置。
【請求項１３】
スマート撮影装置に適用される、ビデオ画像を制御するための装置であって、スマート撮影装置は、クレードルヘッドとカメラとを含み、
スマート端末から送信された回転指示を受信するよう構成される受信ユニットと、
前記回転指示に応じて前記クレードルヘッドを制御してカメラを回転駆動し、回転後、ビデオ画像を撮影し、そして前記スマート端末に映像を返送するよう構成される制御ユニットと
を備えた装置。
【請求項１４】
前記制御ユニットは、
前記クレードルヘッドを制御し、前記カメラを所定の方向に所定の角度だけ回転駆動させるように構成される第１制御サブユニットと、
前記クレードルヘッドを制御し、前記カメラを所定の方向に連続的に回転駆動させるように構成される第２制御サブユニットと
を含む、請求項１３記載の装置。
【請求項１５】
コンピュータ上で実行された場合に、請求項１〜７のいずれか１項に記載のビデオ画像を制御する方法をコンピュータに実行させるコンピュータプログラム。
【請求項１６】
請求項１５に記載のコンピュータプログラムをその内部に格納してなるコンピュータで読み取り可能な記録媒体。
【国際調査報告】
2017536024.tif 000017
2017536024.tif 000018
2017536024.tif 000019
2017536024.tif 000020
2017536024.tif 000021
2017536024.tif 000022